(57)【要約】      （修正有）【課題】満ち潮、引き潮、波、この膨大なえねるぎーを利用して、重物体を浮上させ、上下動を、エネルギーとして活用する重物体吊り上げ装置を提供する。【解決手段】海上に浮遊させる重浮遊体１上に設けられた複数の爪の付いた４本の柱２ａ，２ｂ，３ａ，３ｂと、前後に複数の爪用軸を有しその間にワイヤー５が巻きつけられたワイヤー巻き上げドラム４と、ワイヤーとローラーを介して接続された重物体８とを配して重物体の吊り上げ装置を構成する。さらに、前記４本の柱は、前記ドラムの左右に２本づつ前後に並べて配置されており、前記柱に取り付けられた複数の爪はドラムの左側の柱と右側の柱とで互いに逆向きになっており、満ち潮時には重浮遊体が上昇する事で右側の柱の爪によってドラムが反時計方向に回転し引き潮時には重浮遊体が下降することで左側の柱の爪によってドラムが反時計方向に回転する。これによりワイヤーが巻き上げられ、ワイヤーに接続された重物体を吊り上げる。【選択図】図１
0003173228.tif 000002
【実用新案登録請求の範囲】
【請求項１】
地球上に漂う海。満ち潮、引き潮、波、に重物体を浮遊させ、浮遊力を利用して重物体の浮き沈みを蓄重し、エネルギーとして発電する装置．
【考案の詳細な説明】
【技術分野】
【０００１】本考案は、地球上の海にある。満ち潮、引き潮、波、この膨大なえねるぎーを利用して、重物体を浮上させ、上下動を、エネルギーとし、蓄重するものである。
【背景技術】
【０００２】従来は、火力発電、水力発電、風力発電、太陽光発電、原子力発電、等等活躍している。
【考案の概要】
【考案が解決しようとする課題】
【０００３】しかし、課題はある。火力発電、膨大な燃料・水力発電、水量の影響・太陽光発電、天候の影響・風力発電、風次第・原子力発電、放射能危機。
本考案はこれらの問題点を解決しようとするものである。
【課題を解決するための手段】
【０００４】世界中に海はある。毎日、月は回っている、一日一回は、満潮・引き潮・大きな波がある。５０ｔ・１００トンもの船舶が海に漂っている。この海に重浮遊体を作り、浮き沈み動を、エネルギに替えるもので。地球のある限り、永遠のものである。
【考案の効果】
【０００５】上述の様に、自然界からの恩恵、科学的などに作られている種々施設はあるが、負荷は認められる。本考案は、弊害をなくすよう、考案したもので、地球のある限り永遠のものであり安全であり、エコである。
【図面の簡単な説明】
【０００６】
【図１】仕組みの原理から説明する。まず、海面上に、１、の重浮遊体を浮遊させ、上面に、２ａ，２ｂ，３ａ，３ｂ、と、４本の、爪の付いた柱を建てる。この４本の柱が、、４、のワイヤー巻きつけドラムに設置し、５、のワイヤーを巻き上げ、６〜７のローラーを経て、８の重物体を吊り上げる。７のローラーには、逆回転の切り替えギアも付いていて、巻き上がった、８の重物体を、７のローラーを逆回転に切り替え、９のワイヤーに作動し、１０のローラーは、エネルギー源となる。１１は巻き上げドラムの軸
【図２】図１の、４本の爪の付いた柱について説明する。図では、１の重浮遊体上に、２ａ２ｂのみ書かれているが、３ａ，３ｂも同じ図になる。同図は満ち潮時の図で、４の巻き上げドラムを、６の爪を、７の、ストッパーに掛けて、２ｂ，３ｂが巻き上げている状態。又、引き潮のときは、２ａ，３ａが作動して、４のドラムをまきあげる。１の浮遊体の浮き沈み率は、約２０ｃｍ〜１０ｍ、設置場所によって異なる。もし満ち潮時、２０ｃｍ重物体引き上げると、引き潮時も２０ｃｍ上げ、少なくても１日４０ｃｍは引き揚げる、この重物体を５０ｍ位引き上げて１日位発電出来れば，５機，６機と増設すれば永久に安全に発電出来ると思う．
【図３】図１の、４、は、５、のワイヤーを、巻きあげドラム、１３側は、爪の付いた柱、２ａ２ｂ用で、１４側は爪の付いた柱、３ａ３ｂとして使う。１６、は爪掛け軸
【符号の説明】
【０００７】［図１］
Ｉ  重浮遊体
２  ２ａ，爪の付いた柱、引き潮時用  ２ｂ、爪の付いた柱、満ち潮時用
３  ３ａ，爪の付いた柱、引き潮時用  ３ｂ、爪の付いた柱、満ち潮時用
４  ワイヤー巻きつけドラム
５  ワイヤー
６  ワイヤー誘導ローラー
７  ９のワイヤーに切り替え付きローラー
８  蓄重される重物体
９  ワイヤー
１０  ローラーはエネルギー源となる。
［図２］
１  重浮遊体、２ａ爪の付いた柱引き潮用  ３ｂ爪の付いた柱満ち潮用
４  ワイヤー巻きあげドラム、５、ワイヤー、１１用軸穴
１２、爪、１３、爪用ストッパー、１６、爪掛用軸。
［図３］
４  ワイヤー巻き上げドラム  ５、ワイヤー  １１用軸穴
１４  ２ａ  ２ｂ側  １５  ３ａ  ３ｂ側
【図１】
0003173228.tif 000003
【図２】
0003173228.tif 000004
【図３】
0003173228.tif 000005
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
海上に浮遊させる重浮遊体上に設けられた複数の爪の付いた４本の柱と、複数の爪掛け用軸を有するワイヤー巻き上げドラムとを有する発電措置であって、潮の満ち引きに応じて前記爪により爪掛け用軸を押し上げ又は押し下げることで、前記ワイヤー巻き上げドラムを回転させ、ローラを介してワイヤーと接続された重物体をワイヤー巻き上げドラムの回転によって引き上げ、蓄重する事を特長とする重力を利用した発電装置。
【手続補正２】
【補正対象書類名】図面
【補正対象項目名】図２
【補正方法】変更
【補正の内容】
【図２】
0003173228.tif 000006
【手続補正３】
【補正対象書類名】図面
【補正対象項目名】図３
【補正方法】変更
【補正の内容】
【図３】
0003173228.tif 000007
【手続補正書】
【提出日】平成23年8月17日(2011.8.17)
【手続補正１】
【補正対象書類名】明細書
【補正対象項目名】０００５
【補正方法】変更
【補正の内容】
【０００５】上述の様に自然界からの恩恵、科学的などに作られいる種種施設は有るが、負荷は認められる、本考案は弊害をなくすよう考案したもので、地球の有る限り永遠のものであり安全であり、エコである、この発電装置は、２機がセットとなり交互に稼働する、又可能な限り１０機〜２０機等限りなく作り、海の満ち潮引き潮は平等に働いてくれる、蓄重物体には、放射能を完全密閉出来る器を作り放射能汚染物質を詰め込み、蓄重物体にする．
【手続補正書】
【提出日】平成23年11月4日(2011.11.4)
【手続補正１】
【補正対象書類名】実用新案登録請求の範囲
【補正対象項目名】全文
【補正方法】変更
【補正の内容】
【実用新案登録請求の範囲】
【請求項１】
海上に浮遊させる重浮遊体上に設けられた複数の爪の付いた４本の柱と、前後に複数の爪用軸を有しその間にワイヤーが巻きつけられたワイヤー巻き上げドラムと、ワイヤーとローラーを介して接続された重物体とを有する重物体の吊り上げ装置で有って、前記４本の柱は、前記ドラムの左右に２本づつ前後に並べて配置されており、前記柱に取り付けられた複数の爪はドラムの左側の柱と右側の柱とで互いに逆向きになっており、満ち潮時には重浮遊体が上昇する事で右側の柱の爪によってドラムが反時計方向に回転し引き潮時には重浮遊体が下降することで左側の柱の爪によってドラムが反時計方向に回転することによりワイヤーが巻き上げられ、ワイヤーに接続された重物体を吊り上げる重物体の吊り上げ装置。